(57)【特許請求の範囲】
【請求項１】
建物の床を構成する根太間に配設されて床面上に熱を放散する床暖房用パネルにおいて、
加熱流体を導く加熱流体導通管と、
方形状の平坦部を有し、この平坦部の両側縁部に根太上面に掛け止め可能なフランジ部が形成されると共に、平坦部の裏面には上記加熱流体導通管が配置されたパネル本体と、
上記パネル本体の裏面側に充填されて型成形されることによりパネル本体の裏面に固着され、上記加熱流体導通管を埋設する断熱充填材とを備え、
上記パネル本体の裏面には、垂直部分及びこの垂直部分の下端を内側に折り曲げ成形した水平部分を有する爪形状の脱落防止部材が垂設され、かつ、この爪形状の脱落防止部材は、上記垂直部分及び水平部分の双方が上記断熱充填材中に埋設される構成としたことを特徴とする床暖房用パネル。
【請求項２】
上記断熱充填材の外表面には、シートが固着して設けられたことを特徴とする請求項１に記載の床暖房用パネル。
【請求項３】
上記シートは、断熱充填材を成形型にて成形する際に、上記断熱充填材と上記成形型との間に介在される変形自在な離型シートであることを特徴とする請求項２に記載の床暖房用パネル。
【請求項４】
上記シートは、弾性材から構成された変形自在な弾性シートであることを特徴とする請求項２または３に記載の床暖房用パネル。
【請求項５】
上記加熱流体導通管を埋設する断熱充填材の側面部には、パネル本体側へ向かって拡開して傾斜する傾斜面が形成されたことを特徴とする請求項１乃至４のいずれかに記載の床暖房用パネル。
【発明の詳細な説明】
【０００１】
【発明の属する技術分野】
本発明は、建物の床を構成する根太間に配設される床暖房用パネルに関する。
【０００２】
【従来の技術】
床暖房は、床面を適温に保持することで、室内温度を過度に上昇させることなく快適な暖房効果を実現できることから、近年、一般の木造建築物にも普及しつうある。
【０００３】
このような床暖房に用いられる装置としては、床を構成する複数の根太間に配設された床暖房用パネルが、実公平７−４２００６号公報に掲載されている。図８に、上記公報掲載の床暖房用パネル１０が示されている。
【０００４】
この床暖房用パネル１０は、パネル本体１１の裏面に、加熱流体を導く加熱流体導通管１２が密着して固着され、パネル本体１１の両側縁部に、フランジ部１３が形成されるとともに側板部１４が一体に垂設され、側板部１４の下端部に断熱シート１５が固着され、これらパネル本体１１、側板部１４及び断熱シート１５に囲まれた空間内に断熱充填材１６が充填されて構成される。
【０００５】
パネル本体１１の両フランジ部１３が床の根太１７上面に掛け止めされて、床暖房パネル１０が根太１７間に装着される。このとき、パネル本体１１の両側板部１４外側に貼設されたウレタンシート１８が弾性変形して、根太１７間隔の寸法誤差等が吸収される。そして、パネル本体１１の加熱流体導通管１２を流れる加熱流体の熱が、パネル本体１１を介し床面上に放散されて室内を暖房する。
【０００６】
【発明が解決しようとする課題】
上述のように、床暖房用パネル１０は、金属板からなるパネル本体１１及び側板部１４と、アルミシートからなる断熱シート１５とにより、断熱充填材１６を発泡充填させるための箱構造体が構成されたことから、床暖房用パネル１０全体としての重量が増大し、更にコストも上昇してしまう。
【０００７】
また、断熱充填材１６の充填工程の前後に、側板部１４の外側にウレタンシート１８を貼設するので、床暖房用パネル１０の製造工程が煩雑化してしまう。
【０００８】
本発明の課題は、上述の事情を考慮してなされたものであり、軽量化及び低コスト化を実現できる床暖房用パネルを提供することにある。
【０００９】
【課題を解決するための手段】
請求項１記載の発明は、建物の床を構成する根太間に配設されて床面上に熱を放散する床暖房用パネルにおいて、加熱流体を導く加熱流体導通管と、方形状の平坦部を有し、この平坦部の両側縁部に根太上面に掛け止め可能なフランジ部が形成されると共に、平坦部の裏面には上記加熱流体導通管が配置されたパネル本体と、上記パネル本体の裏面側に充填されて型成形されることによりパネル本体の裏面に固着され、上記加熱流体導通管を埋設する断熱充填材とを備え、上記パネル本体の裏面には、垂直部分及びこの垂直部分の下端を内側に折り曲げ成形した水平部分を有する爪形状の脱落防止部材が垂設され、かつ、この爪形状の脱落防止部材は、上記垂直部分及び水平部分の双方が上記断熱充填材中に埋設される構成としたものである。
【００１０】
請求項２記載の発明は、請求項１に記載の発明において、上記断熱充填材の外表面には、シートが固着して設けられたものである。
【００１１】
請求項３記載の発明は、請求項２に記載の発明において、上記シートは、断熱充填材を成形型にて成形する際に、上記断熱充填材と上記成形型との間に介在される変形自在な離型シートであるものである。
【００１２】
請求項４記載の発明は、請求項２又は３に記載の発明において、上記シートは、弾性材から構成された変形自在な弾性シートであるものである。
【００１３】
請求項５記載の発明は、請求項１乃至４のいずれかに記載の発明において、上記加熱流体導通管を埋設する断熱充填材の側面部には、パネル本体側へ向かって拡開して傾斜する傾斜面が形成されたものである。
【００１４】
【００１５】
請求項１に記載の発明には、次の作用がある。パネル本体の裏面に固着される断熱充填材の成形は、パネル本体の裏面側に配設された成形型を用いて実施される。このため、パネル本体の裏面側に、断熱充填材を成形するための、金属板または樹脂板等からなる箱構造体を一体に設ける必要がないので、床暖房用パネル全体としての軽量化を図ることができ、更にコストも低減できる。また、パネル本体の裏面に、垂直部分及びこの垂直部分の下端を内側に折り曲げ成形した水平部分を有する爪形状の脱落防止部材が垂設され、かつ、この爪形状の脱落防止部材は、上記垂直部分及び水平部分の双方が上記断熱充填材中に埋設される構成としているため、断熱充填材の成形後にはこの断熱充填材に食い込んで、この断熱充填材がパネル本体から離脱することを確実に防止できる。請求項２に記載の発明には、次の作用がある。シートが断熱充填材の外表面に固着して設けられるので、床暖房用パネルの施工時または施工中に、上記シートが断熱充填材の破損を防止できる。請求項３に記載の発明には、次の作用がある。シートが、断熱充填材と上記成形型との間に介在される離型シートであることから、断熱充填材の成形時に、この断熱充填材を成形型から容易に離脱させることができる。更に、断熱充填材の成形過程で、離型シートが断熱充填材の外表面に固着して設けられるので、床暖房用パネルの施工時または施工中に、上記離型シートが断熱充填材の破損を防止できる。
【００１６】
請求項４に記載の発明には、次の作用がある。シートが、弾性材から構成された弾性シートであることから、その弾性により衝撃を吸収できるので、床暖房用パネルの施工時または施工中に、断熱充填材の破損を良好に防止できる。更に、弾性シートの弾性変形によって、根太間隔に寸法誤差があったり、根太に歪みがあっても、上記弾性シートの一部が変形し、潰れ、あるいは剥離して、床暖房用パネルと根太とを良好に密着させることができる。
【００１７】
請求項５に記載の発明には、次の作用がある。断熱充填材の側面部、つまり床暖房用パネルの側面部には、パネル本体側へ向かって拡開する傾斜面が形成されたことから、断熱充填材の成形時に、この断熱充填材を成形型から容易に離脱させることができる。
【００１８】
更に、根太間への床暖房用パネルの装着時に、根太間隔の寸法誤差や根太の歪みがあっても、上記傾斜面の一部が変形し、潰れ、あるいは剥離して、床暖房用パネルを根太間に容易に嵌入でき、根太と床暖房用パネルとの密着性を高めることができる。
【００１９】
【発明の実施の形態】
以下、本発明の実施の形態を図面に基づいて説明する。
【００２０】
（第一の実施の形態）
図１は、本発明に係る床暖房用パネルの第一の実施の形態を適用した建物の床構造を示す縦断面図である。
【００２１】
図１に示すように、床暖房用パネル２０は建物、特に木造家屋等の床２１を構成する根太２２間に配設され、パネル本体２３の上面にフローリング板材等の仕上げ床材２４が固定され、この仕上げ床材２４上へ熱を放散して室内を暖房する。
【００２２】
この床暖房用パネル２０は、図２〜図４に示すように、上記パネル本体２３、加熱流体導通管２５、シート及び離型シートとしてのクラフト紙２６、断熱充填材としてのウレタン発泡樹脂２７を有して構成される。
【００２３】
パネル本体２３は、鋼板等の金属板からなり、長方形状の平坦部２８と、この平坦部２８の長手方向に延びる両側縁側全長に設けられたフランジ部２９と、平坦部２８から垂設された脱落防止部材としての爪部３０と、を備えて構成される。
【００２４】
つまり、パネル本体２３は、長方形状に裁断された1枚の金属板の両側部を内側に折り曲げて裏面どうしを密着させるとともに、折り曲げ部分の途中を垂直に折り返し、更に、この折り返し垂直部分の下端を内側に水平に折り曲げて成形させ、金属板の上記中央部分により平坦部２８が、また上記折り曲げ重合部分によりフランジ部２９が、更に上記折り返し垂直部分及びその下端の上記水平折り曲げ部分（水平部分）により、Ｌ字爪形状の爪部３０がそれぞれ形成されたものである。また、上記フランジ部２９は一定幅形状に設けられ、根太２２の上面に掛け止め可能に構成される。
【００２５】
上記加熱流体導通管２５は、銅管等のように伝熱性の良好な金属管からなり、湯等の加熱流体を循環可能に導く。この加熱流体導通管２５は、アルミテープ３１等の固着テープを用いて、パネル本体２３の平坦部２８における裏面に密着状態で固着される。
【００２６】
上記ウレタン発泡樹脂２７は、パネル本体２３の平坦部２８の裏面側に、成形型３２を用いて成形されて固着される。この成形型３２は、上方が開口した略直方体形状の凹面部３３を有する。この成形型３２に、凹面部３３の上方開口を蓋するようにして、加熱流体導通管２５が固着されたパネル本体２３を載置させ、凹面部３３の内部に液体ウレタン等の発泡樹脂を注入して充填し、発泡させてウレタン発泡樹脂２７を成形する。これにより、図２に示すように、ウレタン発泡樹脂２７内に加熱流体導通管２５及び爪部３０の垂直部分及び水平部分の双方が埋設される。
【００２７】
このウレタン発泡樹脂２７は断熱材として機能し、床暖房用パネル２０の加熱流体導通管２５に加熱流体が循環したときに、この加熱流体の熱を、床暖房用パネル２０における図２の下方へ放散させることを防止して、床暖房用パネル２０の図２における上方へ効率的に放散させるものである。
【００２８】
ウレタン発泡樹脂２７の成形に際しては、成形型３２の凹面部３３内に変形自在なクラフト紙２６が配設され、このクラフト紙２６の内側に発砲樹脂が充填される。クラフト紙２６は、成形型３２の凹面部３３における底面３３Ａ及び長尺状の両側面３３Ｂに対応する位置に配設され、ウレタン発泡樹脂２７の成形後、このウレタン発泡樹脂２７を成形型３２から容易に離型させる。更に、クラフト紙２６は、ウレタン発泡樹脂２７の成形後に、このウレタン発泡樹脂２７の底面部３４及び両側面部３５の外表面に一体に固着されて、ウレタン発泡樹脂２７の剥離などを防止する。
【００２９】
また、成形型３２の凹面部３３における長尺形状の両側面３３Ｂには傾斜面が形成され、これにより、ウレタン発泡樹脂２７の両側面部３５に傾斜面３５Ａが形成される。この傾斜面３５Ａは、パネル本体２３側へ向かって拡開するよう形成されている。
【００３０】
また、図３および図４に示すように、上述のパネル本体２３には、平坦部２８における長手方向の互いに対向する両端部に端面板３７が垂設される。この端面板３７は、鋼板等の金属板から成形され、加熱流体導通管２５が貫通するＵ字溝３８を備える。そして、ウレタン発泡樹脂２７の成形時に、このウレタン発泡樹脂２７の両端面部３６が端面板３７に一体に固着される。この端面板３７は、複数個の床暖房用パネル２０を長手方向に接続すべく加熱流体導通管２５を突合せ溶接するとき、その溶接時の火炎から可燃性のウレタン発泡樹脂２７を保護するものである。
【００３１】
従って、上記実施の形態によれば、次の効果（１）〜（６）を奏する。
【００３２】
（１）パネル本体２３の裏面に固着されるウレタン発泡樹脂２７の成形は、パネル本体２３の裏面側に配設された成形型３２を用いて実施される。このため、パネル本体２３の裏面側に、ウレタン発泡樹脂２７を成形するための、金属板又は樹脂板等からなる箱構造体（図８のパネル本体１１、側板部１４及び断熱シート１５）を一体に設ける必要がないので、床暖房用パネル２０全体としての軽量化を図ることができ、さらにコストも低減できる。
【００３３】
（２）ウレタン発泡樹脂２７と成形型３２との間にクラフト紙２６が介在されたことから、ウレタン発泡樹脂２７の成形時に、このウレタン発泡樹脂２７を成形型３２から容易に離脱させることができる。
【００３４】
（３）ウレタン発泡樹脂２７の成形過程で、クラフト紙２６がウレタン発泡樹脂２７の底面部３４及び側面部３５の外表面に固着して設けられるので、床暖房用パネル２０の施工時又は施工中に、クラフト紙２６がウレタン発泡樹脂２７の破損を防止できる。
【００３５】
（４）パネル本体２３の裏面にウレタン発泡樹脂２７に埋設されるＬ字爪形状の爪部３０が垂設されたことから、この爪部３０は、ウレタン発泡樹脂２７の成形後にはこのウレタン発泡樹脂２７にくい込んで、このウレタン発泡樹脂２７がパネル本体２３から離脱することを確実に防止できる。
【００３６】
（５）ウレタン発泡樹脂２７の両側面部３５には、パネル本体２３側へ向かって拡開する傾斜面３５Ａが形成されたことから、ウレタン発泡樹脂２７の成形時に、このウレタン発泡樹脂２７を成形型３２から更に容易に離脱させることができる。
【００３７】
（６）床２１の根太２２間への床暖房用パネル２０の装着時に、根太２２間隔の寸法誤差や根太２２の歪みがあっても、上記傾斜面３５Ａの一部が変形し、遺、或いは剥離して、床暖房用パネル２０を根太２２間に容易に嵌入でき、根太２２と床暖房用パネル２０との密着性を高めることができる。従って、図８に示す従来の床暖房用パネル１０の如く、床暖房用パネル１０の両側板部１４に、床暖房用パネル１０を根太に密着させるためのウレタンシート１８を後工程で貼設する必要がなく、本実施の形態の床暖房用パネル２０の製造工程を単純且つ迅速化できる。
【００３８】
（Ｂ）第二の実施の形態
図５は、本発明に係る床暖房用パネルの第二の実施の形態を示す縦断面図である。この第二の実施の形態において、前記第一の実施の形態と同様な部分は同一の符号を付すことにより説明を省略する。
【００３９】
この第二の実施の形態の床暖房用パネル４０は、ウレタン発泡樹脂２７の底面部３４及び両側面部３５に、弾性シートとしてのゴムシート４１が固着され、このゴムシート４１の外表面にクラフト紙２６が固着されたものである。
【００４０】
成形型３２を用いたウレタン発泡樹脂２７の成形時には、成形型３２の凹面部３３における底面３３Ａと長尺状両側面３３Ｂにクラフト紙２６を配設し、このクラフト紙２６上に変形自在なゴムシート４１を配設する。そして、液体ウレタン等の発砲樹脂をゴムシート４１の内側に充填する。ウレタン発泡樹脂２７の成形後には、このウレタン発泡樹脂２７の底面部３４及び両側面部３５の外表面にゴムシート４１が一体に固着され、このゴムシート４１の外表面にクラフト紙２６が一体に固着される。
【００４１】
ウレタン発泡樹脂２７の成形後には、その両側面部３５に傾斜面３５Ａが形成されることから、この側面部３５の外表面に対応するゴムシート４１にも傾斜面４１Ａが形成される。
【００４２】
従って、この床暖房用パネル４０によれば、前記床暖房用パネル２０の効果（１）及び（４）と同様な効果を奏するほか、次の効果（７）、（８）、（９）及び（１０）も奏する。
【００４３】
（７）ウレタン発泡樹脂２７の底面部３４及び両側面部３５にゴムシート４１が固着されたことから、その弾性により衝撃を吸収できるので、床暖房用パネル２０の施工時又は施工中に、ウレタン発泡樹脂２７の破損を良好に防止できる。
（８）ゴムシート４１の弾性変形によって、床２１の根太２２間隔に寸法誤差があったり、根太２２に歪みがあっても、ゴムシート４１の傾斜面４１Ａの一部が変形し、遺れ、或いは剥離して、床暖房用パネル４０と根太２２とを良好に密着させることができる。従って、図８に示す従来の如く、床暖房用パネル１０の両側板部１４にウレタンシート１８を後工程で貼設する必要が無く、床暖房用パネル４０の製造工程を単純且つ迅速化できる。
【００４４】
（９）ゴムシート４１と成形型３２との間にクラフト紙２６が介在されたことから、ウレタン発泡樹脂２７の成形時に、ゴムシート４１をウレタン発泡樹脂２７とともに成形型３２から容易に離脱させることができる。
【００４５】
（１０）ウレタン発泡樹脂２７の両側面部３５、つまりゴムシート４１の両側面部には、パネル本体２３側へ向かって拡開する傾斜面４１Ａが形成されたことから、ウレタン発泡樹脂２７の成形時に、このウレタン発泡樹脂２７を成形型３２からより一層容易に離脱させることができる。
【００４６】
以上、一実施の形態に基づいて本発明を説明したが、本発明はこれに限定されるものではない。
【００４７】
例えば、爪部３０は、パネル本体２３において平坦部２８の裏面に溶接により固着されても良い。また、クラフト紙２６の代わりに離型剤が介在されてもよい。また、床暖房用パネル２０の傾斜面３５Ａ、床暖房用パネル４０の傾斜面４１Ａのみならず、端面板３７にも、パネル本体２３側へ向かって拡開する傾斜面が形成されても良い。また、ウレタン発泡樹脂以外の発泡樹脂で断熱充填材を形成しても良い。
【００４８】
さらに、床暖房用パネル４０において、ゴムシート４１の外表面にクラフト紙２６を固着しないものでもよい。
【００４９】
【発明の効果】
以上のように、本発明に係る床暖房用パネルによれば、パネル本体が、裏面に加熱流体導通管を配置し、両側縁部に根太上面に係止可能なフランジ部を備え、断熱充填材が、上記パネル本体の裏面側に充填されて型成形され、パネル本体の裏面に固着されると共に加熱流体導通管を埋設することから、パネル本体の裏面側に、断熱充填材を成形するための金属板又は樹脂板等からなる箱構造体を一体に設ける必要がないので、床暖房用パネル全体としての軽量化を図ることができ、更にコストも低減できる。また、パネル本体の裏面に、垂直部分及びこの垂直部分の下端を内側に折り曲げ成形した水平部分を有する爪形状の脱落防止部材が垂設され、かつ、この爪形状の脱落防止部材は、上記垂直部分及び水平部分の双方が上記断熱充填材中に埋設される構成としているため、断熱充填材の成形後にはこの断熱充填材に食い込んで、この断熱充填材がパネル本体から離脱することを確実に防止できる。
【図面の簡単な説明】
【図１】  本発明係る床暖房用パネルの第一の実施の形態を適用した建物の床構造を示す縦断面図である。
【図２】  図１の床暖房用パネルを示す縦断面図である。
【図３】  図２の床暖房用パネルの一部を破断して示す平面図である。
【図４】  図２の床暖房用パネルの一部を破断して示す側面図である。
【図５】  本発明に係る床暖房用パネルの第二の実施の形態を示す縦断面図である。
【図６】  図５の床暖房用パネルの一部を破断して示す平面図である。
【図７】  図５の床暖房用パネルの一部を破断して示す側面図である。
【図８】  従来の床暖房用パネルを示す縦断面図である。
【符号の説明】
２０  床暖房用パネル
２１  床
２２  根太
２３  パネル本体
２５  加熱流体導通管
２６  クラフト紙（シート、離型シート）
２７  ウレタン発泡樹脂（断熱充填材）
３０  爪部（脱落防止部材）
３２  成形型
３４  底面部
３５  側面部
３５Ａ  傾斜面
４０  床暖房用パネル
４１  ゴムシート（弾性シート）
４１Ａ  傾斜面
【図１】
0003819594.tif 000002
【図２】
0003819594.tif 000003
【図３】
0003819594.tif 000004
【図４】
0003819594.tif 000005
【図５】
0003819594.tif 000006
【図６】
0003819594.tif 000007
【図７】
0003819594.tif 000008
【図８】
0003819594.tif 000009